(57)【特許請求の範囲】
【請求項１】
外壁材に形成された開口部の開口縁部のうち、前記外壁材の目地溝の延長上に位置する開口縁部に沿って設けられる外壁用ガスケットであって、
前記目地溝から前記開口縁部に亙って設けられる目地部と、この目地部の上部に該目地部の長手方向に沿って形成されたガスケット部とを備え、
該ガスケット部は、少なくとも前記目地溝に配設された部分が該目地溝の深さ方向に圧潰可能に形成されたものであることを特徴とする外壁用ガスケット。
【請求項２】
請求項１記載の外壁用ガスケットにおいて、
前記ガスケット部が中空状に形成され、その長手方向の所望の位置で切断可能であることを特徴とする外壁用ガスケット。
【請求項３】
請求項１または２記載の外壁用ガスケットを、外壁材の目地溝から該目地溝の延長上に位置する開口縁部に沿って設置する外壁用ガスケットの設置構造であって、
前記目地溝には、前記外壁用ガスケットが、その目地部を前記目地溝の底部の内側面に密接した状態で挿入され、前記目地溝に挿入された外壁用ガスケットのガスケット部は目地溝の深さ方向に圧潰され、
前記開口部縁部には、前記外壁用ガスケットがそのガスケット部を圧潰しない状態で配設され、
さらに、前記圧潰されたガスケット部上には、化粧目地材が、前記圧潰されていないガスケット部とほぼ面一になるように設けられていることを特徴とする外壁用ガスケットの設置構造。
【請求項４】
請求項２記載の外壁用ガスケットを、外壁材の目地溝から該目地溝の延長上に位置する開口縁部に沿って設置する外壁用ガスケットの設置方法であって、
まず、前記外壁材の目地溝に、前記外壁用ガスケットを、その目地部が前記目地溝の底部の内側面に密接するように配設するとともに、前記目地溝の延長上にある前記開口縁部に沿って配設し、
次いで、前記外壁用ガスケットのガスケット部を、前記開口縁部の両端位置で切断し、その切断位置より外側に位置するガスケット部を目地溝の深さ方向に圧潰し、
次いで、この圧潰されたガスケット部上に、化粧目地材を、前記圧潰されていないガスケット部とほぼ面一になるように設けることを特徴とする外壁用ガスケットの設置方法。
【請求項５】
請求項３記載の外壁用ガスケットの設置構造において、
前記外壁用ガスケットが配設された前記開口縁部と直交する他の開口縁部には、第２外壁用ガスケットが配設され、
前記外壁用ガスケットの、前記開口縁部の端部に位置する側面には、ジョイナーピースが固定され、このジョイナーピースの表面には止水性と接着性を有する粘着層が形成され、
この粘着層には、前記第２外壁用ガスケットの端面が当接されていることを特徴とする外壁用ガスケットの設置構造。
【請求項６】
請求項３記載の外壁用ガスケットの設置構造において、
前記外壁用ガスケットが配設された前記開口縁部と直交する他の開口縁部には、第２外壁用ガスケットが配設され、
前記外壁用ガスケットの、前記開口縁部の端部に位置する側面には、ジョイナーピースが固定され、このジョイナーピースの表面には、突出部と止水性と接着性を有する粘着層が形成され、
前記突出部に前記第２外壁用ガスケット端面の上部開口がはめ込まれて固定され、前記粘着層に前記第２外壁用ガスケット端面の下面が当接されていることを特徴とする外壁用ガスケットの設置構造。
【請求項７】
請求項５または６記載の外壁用ガスケットの設置構造において、
前記ジョイナーピースは前記外壁用ガスケットに、それらの一方に形成された凸部と、他方に形成された凹部との凹凸嵌合によって係合していることを特徴とする外壁用ガスケットの設置構造。
【請求項８】
請求項５〜７のいずれかに記載の外壁用ガスケットの設置構造において、
前記ジョイナーピースの裏面側には押圧凸部が形成され、この押圧凸部によって前記外壁用ガスケットの側面が押圧されていることを特徴とする外壁用ガスケットの設置構造。
【発明の詳細な説明】
【０００１】
【発明の属する技術分野】
本発明は、外壁に形成された開口部の縁部のうち、前記外壁の目地溝の延長上に位置する開口縁部に沿って設けられる外壁用ガスケット、該外壁用ガスケットの設置構造、並びに外壁用ガスケットの設置方法に関するものである。
【０００２】
【背景の技術】
住宅等の建築物においては、躯体を構成する外壁本体の表面側に、防水、防火や外観意匠性向上のために、外壁材を貼設している。該外壁材を貼設する場合、それらの間の隙間を塞ぐための目地構造として、例えば、特開平８−２５３９７５号公報に記載のものが知られている。
この公報に記載の目地構造は、外壁材の隙間(目地溝)内に注入される不定形シーリング材と、該不定形シーリング材の外方側に配置され、前記隙間を構成する外壁材の端面に密着されて前記隙間を塞ぐ定形シーリング材とを含むものである。
【０００３】
ところで、近年、住宅の建築分野では工業化が進んでおり、例えばパネル工法においては、住宅の外壁を構成する外壁パネルに、工場で予めサイディング(外壁材)を取付けておき、該サイディングが取付けられた外壁パネルを現場に搬送して組み立てることが一部で行われている。
外壁パネルにサイディングを取付ける場合、サイディングの継ぎ目である目地溝には、上述した目地構造や通常の不定形シーリング(コーキング)や定形シーリングを使用したものが採用されている。
【０００４】
【発明が解決しようとする課題】
ところで、外壁パネルにサッシ枠を取付けるための開口部を形成する場合、これに伴ってサイディングにも開口部を形成する。この開口部の開口縁部に、サイディングとサッシ枠との間の防水をとるための、ガスケットを予め取付けておけば、工業化をさらに推し進めることができるが、サッシ枠を取りつける前に、ガスケットを開口縁部に設けるのは困難であるという問題がある。
【０００５】
一方、サイディングに開口部を形成する場合、サイディングの目地溝の延長上に前記開口部の開口縁部が位置するようにすれば、サイディングの目地溝と開口縁部が一直線状になって、サイディングの外観意匠性が好ましいものとなるが、サイディングの目地溝の処理に使用される目地材と、前記開口縁部へ取付けるガスケットとは別の部材であり、別々に施工しているので、目地溝とガスケットとの接続部を秀麗に仕上げるのに手間がかかるという問題がある。
【０００６】
本発明は上記事情に鑑みてなされたもので、ガスケットを外壁材に形成された開口部の開口縁部に容易かつ確実に設けることができるとともに、目地溝とガスケットとの接続を秀麗に仕上げることができる外壁用ガスケット、外壁用ガスケットの設置構造および外壁用ガスケットの設置方法を提供することを目的としている。
【０００７】
【課題を解決するための手段】
上記目的を達成するために、本発明の請求項１の外壁用ガスケットは、例えば図１〜図３に示すように、外壁材４に形成された開口部５の開口縁部のうち、前記外壁材４の目地溝６の延長上に位置する開口縁部５ａに沿って設けられる外壁用ガスケット１であって、
前記目地溝６から前記開口縁部５ａに亙って設けられる目地部２と、この目地部２の上部に該目地部２の長手方向に沿って形成されたガスケット部３とを備え、
該ガスケット部３を、少なくとも前記目地溝６に配設された部分が該目地溝３の深さ方向に圧潰可能に形成したものである。
【０００８】
前記目地部２には、目地溝６の幅方向に延び、弾性的に撓んで目地溝６の側面に弾性的に接して、止水を行う襞部２ｂを形成する。また、この襞部２ｂは外壁材４の開口部に取付けられるサッシ枠にも接して止水を行う機能も有する。
また、前記目地部２の、前記サッシ枠側を向く側面には、図５および図６に示すように、前記襞部２ｂに代えて、サッシ枠への接着と止水を同時に行う粘着層１３を設けてもよい。
前記ガスケット部３は、上方から押え付けることで圧潰する構造のものであれば、どのような構造のものでもよいが、圧潰した際には塑性変形して元に戻らないものとする。
【０００９】
請求項１の外壁用ガスケット１にあっては、その両端部の目地部２を、前記外壁材４に形成された開口部５の開口縁部５ａの両端側に位置する目地溝６の底部に密接した状態で挿入し、該目地溝６に挿入された目地部２の上部に形成されているガスケット部３を目地溝６の深さ方向に圧潰することで、該ガスケット部３を目地部２とともに目地溝６の底部に配置することができ、前記開口縁部５ａには、外壁用ガスケット１がその長手方向中央部にあるガスケット部３(３ａ)を圧潰しない状態で配設される。
したがって、ガスケット部３が外壁材４に形成された開口部５の開口縁部５ａに容易かつ確実に設けられる。
【００１０】
また、前記圧潰されたガスケット部３(３ｂ)上に、化粧目地材７を、前記圧潰されていないガスケット部３(３ａ)とほぼ面一になるように設けることで、該化粧目地材７とガスケット部３とが段差なく連続することになり、よって、目地溝６とガスケット部３との接続部が秀麗に仕上がる。
【００１１】
請求項２の外壁用ガスケット１は、請求項１において、
前記ガスケット部３を中空状に形成し、その長手方向の所望の位置で切断可能に構成したものである。
前記ガスケット部３の形状は中空状であれば、どのような形状でもよいが、目地溝６は通常横断面凹状であるので、この凹部に嵌まるような四角筒状とするのが望ましい。
【００１２】
請求項２の外壁用ガスケット１においては、その両端部の目地部２を、前記外壁材４に形成された開口部５の開口縁部５ａの両端側に位置する目地溝６の底部に密接した状態で挿入した後、ガスケット部３を、前記開口縁部５ａの両端位置で切断することで、中央部３ａとその両脇部３ｂ，３ｂの３つのピースに分断することができる。
したがって、中央部のガスケット部３ａを、前記開口縁部５ａの長さに容易に合わせることができる。
また、両脇部のガスケット部３ｂは、それが中空状であり、中央部のガスケット部３ａと分断されているので、目地溝６の深さ方向に容易に圧潰して、目地溝６の底部に配設することができる。
【００１３】
請求項３の外壁用ガスケットの設置構造は、例えば図３に示すように、請求項１または２記載の外壁用ガスケット１を、外壁材４の目地溝６から該目地溝６の延長上に位置する開口縁部５ａに沿って設置する外壁用ガスケットの設置構造であって、
前記目地溝６には、前記外壁用ガスケット１が、その目地部２を前記目地溝６の底部の内側面に密接した状態で挿入され、前記目地溝６に挿入された外壁用ガスケット１のガスケット部３は目地溝６の深さ方向に圧潰され、
前記開口部縁部５ａには、前記外壁用ガスケット１がそのガスケット部３を圧潰しない状態で配設され、
さらに、前記圧潰されたガスケット部３ｂ上には、化粧目地材７が、前記圧潰されていないガスケット部３ａとほぼ面一になるように設けられているものである。
【００１４】
請求項３の外壁用ガスケットの設置構造においては、外壁材４に形成された目地溝６に外壁用ガスケット１の目地部２が挿入されるとともに、該目地部２の上部に形成されているガスケット部３が目地溝６の深さ方向に圧潰され、さらに、前記目地溝６の延長上に位置する開口縁部５ａに沿って前記外壁用ガスケット１が配設されるので、該開口縁部５ａには、外壁用ガスケット１の圧潰されていないガスケット部３ａが配設されることになる。
したがって、ガスケット部３が外壁材４に形成された開口部５の開口縁部５ａに容易かつ確実に設けられる。
【００１５】
また、前記圧潰されたガスケット部３ｂ上に、化粧目地材７を、前記圧潰されていないガスケット部３ａとほぼ面一になるように設けることで、該化粧目地材７とガスケット部３ａとが段差なく連続することになり、よって、目地溝６とガスケット部３との接続部が秀麗に仕上がる。
【００１６】
請求項４の外壁用ガスケットの設置方法は、請求項２記載の外壁用ガスケット１を、外壁材４の目地溝６から該目地溝６の延長上に位置する開口縁部５ａに沿って設置する外壁用ガスケットの設置方法であって、
まず、前記外壁材４の目地溝６に、前記外壁用ガスケット１を、その目地部２が前記目地溝６の底部の内側面に密接するように配設するとともに、前記目地溝６の延長上にある前記開口縁部５ａに沿って配設し、
次いで、前記外壁用ガスケット１のガスケット部３を、前記開口縁部５ａの両端位置で切断し、その切断位置より外側に位置するガスケット部３ｂを目地溝６の深さ方向に圧潰し、
次いで、この圧潰されたガスケット部３ｂ上に、化粧目地材７を、前記圧潰されていないガスケット部３ａとほぼ面一になるように設けることを特徴としている。
【００１７】
請求項４の外壁用ガスケットの設置方法においては、外壁用ガスケット１の目地部２を前記外壁材４に形成された開口部５の開口縁部５ａの両端側に位置する目地溝６の底部に密接した状態で挿入した後、ガスケット部１を、前記開口縁部５ａの両端位置で切断することで、中央部３ａとその両脇部３ｂ，３ｂの３つのピースに分断することができる。
したがって、中央部のガスケット部３ａを、前記開口縁部５ａの長さに容易に合わせることができる。
また、両脇部のガスケット部３ｂは、それが中空状であり、中央部のガスケット部３ａと分断されているので、目地溝６の深さ方向に容易に圧潰して、目地溝６の底部に配設することができる。
【００１８】
請求項５の外壁用ガスケットの設置構造は、図５および図６に示すように、請求項３において、
前記外壁用ガスケット１１が配設された前記開口縁部５ａと直交する他の開口縁部５ｂには、第２外壁用ガスケット２１が配設され、
前記外壁用ガスケット１１の、前記開口縁部５ａの端部に位置する側面には、ジョイナーピース１５が固定され、このジョイナーピース１５の表面には止水性と接着性を有する粘着層１７が形成され、
この粘着層１７には、前記第２外壁用ガスケット２１の端面が当接されているものである。
【００１９】
前記第２外壁用ガスケット２１は、前記外壁用ガスケット１１と同断面形状のものを使用するが、異なる断面形状のものでもよい。但し、第２外壁用ガスケット２１と外壁用ガスケット１１とはその高さを等しく設定する。
前記ジョイナーピース１５は、例えば、硬質樹脂で形成されたジョイナーピース本体１６と、このジョイナーピース本体１６の表面側に形成された粘着層１７とからなる２層構造とされる。
【００２０】
請求項５の外壁用ガスケットの設置構造においては、外壁用ガスケット１１が配設された前記開口縁部５ａと直交する他の開口縁部５ｂに、第２外壁用ガスケット２１が配設され、この第２外壁用ガスケット２１の端部が、外壁用ガスケット１１の端部側面に固定されたジョイナーピース１５の粘着層１７に当接されるので、外壁材４に形成された開口部５の開口縁部５ａ，５ｂの直交部を秀麗に仕上げることができるとともに、該直交部の止水性を十分に確保することができる。
【００２１】
請求項６の外壁用ガスケットの設置構造は、例えば図１０に示すように、請求項３において、
前記外壁用ガスケット１１が配設された前記開口縁部５ａと直交する他の開口縁部５ｂには、第２外壁用ガスケット２１が配設され、
前記外壁用ガスケット１１の、前記開口縁部５ａの端部に位置する側面には、ジョイナーピース２５が固定され、このジョイナーピース２５の表面には、突出部２７と止水性と接着性を有する粘着層２８が形成され、
前記突出部２７に前記第２外壁用ガスケット２１の端面の上部開口がはめ込まれて固定され、前記粘着層２８に前記第２外壁用ガスケット２１の端面の下面が当接されているものである。
【００２２】
前記ジョイナーピース２５は、例えば、硬質樹脂で形成されたジョイナーピース本体２６と、このジョイナーピース本体２６の上部表面側に形成された突出部２７と、前記ジョイナーピース本体２６の下部表面側に形成された粘着層２８とから構成され、前記突出部２７は第２外壁用ガスケット２１の端面の上部開口の大きさとほぼ等しいか、若干小さく形成される。
【００２３】
請求項６の外壁用ガスケットの設置構造においては、外壁用ガスケット１１が配設された前記開口縁部５ａと直交する他の開口縁部５ｂに、第２外壁用ガスケット２１が配設され、この第２外壁用ガスケット２１の端部の上部開口が、外壁用ガスケット１１の端部側面に固定されたジョイナーピース２５の突出部２７にはめ込まれるので、外壁用ガスケット１１に対する第２ガスケット２１の端部の位置決めが容易となり、また、第２外壁用ガスケット２１の端面の下面が前記粘着層２８に当接されるので、該直交部の止水性を十分に確保することができる。
【００２４】
請求項７の外壁用ガスケットの設置構造は、請求項５または６において、
前記ジョイナーピース１５，２５は前記外壁用ガスケット１１に、それらの一方に形成された凸部１８と、他方に形成された凹部１２との凹凸嵌合によって係合しているものである。
【００２５】
請求項７の外壁用ガスケットの設置構造においては、外壁用ガスケット１１の端部側面に固定されたジョイナーピース１５，２５と、該外壁用ガスケット１１とが、それらの一方に形成された凸部１８と、他方に形成された凹部１２との凹凸嵌合によって係合しているので、外壁用ガスケット１１に対するジョイナーピース１５，２５の位置決めが容易であるとともに、前記第２外壁用ガスケット２１の端部が前記ジョイナーピース１５，２５の粘着層に当接されているので、外壁材４に形成された開口部５の開口縁部５ａ，５ｂの直交部の止水性をより確実なものとすることができる。
【００２６】
請求項８の外壁用ガスケットの設置構造は、請求項５〜７のいずれかにおいて、前記ジョイナーピース１５，２５の裏面側には押圧凸部１９が形成されており、この押圧凸部１９によって前記外壁用ガスケット１１の側面が押圧されているものである。
【００２７】
請求項８の外壁用ガスケットの設置構造においては、ジョイナーピース１５，２５の押圧凸部１９によって外壁用ガスケット１１の側面が押圧されているので、この押圧された部分が窪んで押圧凸部１９に密着するとともに、押圧されていない部分が若干突出して外壁用ガスケット１１に密着し、これによって、ジョイナーピース１５，２５と外壁用ガスケット１１との間には隙間が生じないので、前記直交部の化粧性を保つことができる。
【００２８】
【発明の実施の形態】
以下、図面を参照して本発明の実施の形態例について説明する。
(第１実施形態例)
図１は本発明の外壁用ガスケットの第１例を示す斜視図である。この図に示す外壁用ガスケット１は、合成樹脂で形成された長尺なものであり、目地部２と、この目地部２の上部に一体的に形成されたガスケット部３とで構成されている。
【００２９】
前記目地部２は、２本の脚部２ａ,２ａを有しており、該脚部２ａ,２ａは外壁用ガスケット１の長手方向に延在して形成されている。各脚部２ａには、外側に突出する襞部２ｂ,２ｂが上下に所定間隔で形成されており、該襞部２ｂは外壁用ガスケット１の長手方向に延在して形成されている。
前記ガスケット部３は、四角筒状をなすものであり、上方から押さえ付けることで、圧潰可能となっている。また、ガスケット部３は、その長手方向の所望の位置でカッター等によって切断可能となっている。
【００３０】
前記構成の外壁用ガスケット１は、図２に示すように、外壁材４…に形成された開口部５のうち、外壁材４の目地溝６の延長上に位置する開口縁部５ａに沿って設けられるようになっている。なお、前記外壁材４は、上下に長い長方形状をなすもので、住宅の躯体に縦張りで取付けられ、互いに横方向に隣接する外壁材４,４の間に前記目地溝６が形成されている。
【００３１】
図３は、前記外壁用ガスケット１を前記開口部５の開口縁部５ａに沿って設けた状態を示す斜視図であり、該外壁用ガスケット１は、外壁材４,４の間に形成された目地溝６,６から前記開口縁部５ａに亙って配設されている。
前記目地溝６,６の底部には、外壁用ガスケット１の両端側の目地部２,２が挿入されており、該目地部２,２の前記襞部２ｂ…は、弾性的に撓んで目地溝６の側面つまり対向する外壁材４,４の側端面に弾性的に接している。これによって、目地溝６の止水が行われている。
【００３２】
また、前記外壁用ガスケット１を前記目地溝６,６の底部に挿入した後に、該外壁用ガスケット１のガスケット部３は、前記開口縁部５ａの両端位置でカッター等によって切断されており、これによって、前記ガスケット部３は、中央部３ａとその両脇部３ｂ,３ｂの３つのピースに分断されている。
上記のように、ガスケット部３を前記開口縁部５ａの両端位置でカッター等によって切断することで、ガスケット部３の中央部３ａの長さを開口縁部５ａの長さに容易に合わせることができる。
【００３３】
そして、前記ガスケット部３の両脇部３ｂ,３ｂは、図４(ａ)、(ｂ)に示すように、上方から作業者によって押し付けられることで、目地溝６の深さ方向に圧潰されて、目地溝６の底部に配置される。
前記ガスケット部３の両脇部３ｂ,３ｂは、それが中空状であり、ガスケット部３の中央部３ｂ,３ｂと分断されているので、該両脇部３ｂ,３ｂを目地溝６の深さ方向に容易に圧潰して、目地溝６の底部に配置することができる。
【００３４】
一方、前記ガスケット部３の中央部３ａは、圧潰されない状態で前記開口縁部５ａに沿って配設されている。
また、前記圧潰されたガスケット部３の両脇部３ｂ,３ｂ上には、化粧目地材７が、前記圧潰されていないガスケット部３の中央部とほぼ面一になるように設けられている。
【００３５】
このように、前記外壁用ガスケット１の両端部の目地部２,２を目地溝６,６に挿入することで、外壁用ガスケット１のガスケット部３を外壁材４に形成された開口部５の開口縁部５ａに容易かつ確実に設けることができる。
また、ガスケット部３の圧潰された両脇部２ｂ,２ｂ上に、化粧目地材７を、前記ガスケット部３の中央部３ａとほぼ面一になるように設けたので、該化粧目地材７とガスケット部３の中央部３ａとが段差なく連続することになり、よって、目地溝６とガスケット部３との接続部を秀麗に仕上げることができる。
【００３６】
(第２実施形態例)
図５は本発明の外壁用ガスケットの第２例を示すものである。この図に示す外壁用ガスケット１１が、前記外壁用ガスケット１と異なる点は、目地部２の構成であり、その他の構成および該外壁用ガスケット１１を前記目地溝６および開口部５の開口縁部５ａに設置した構造は同一であるので、共通部分には同一符号を付してその説明を省略または簡略化する。
【００３７】
前記外壁用ガスケット１１は、四角筒状をなすガスケット部３と目地部２とから構成されており、この目地部２は、２本の脚部２ａ,２ａを有しており、一方の脚部２ａには、外側に突出する襞部２ｂ,２ｂが上下に所定間隔で形成されている。また、他方の脚部２ａの外側を向く側面には、溝部(凹部)１２が形成されている。この溝部１２は、外壁用ガスケット１１の長手方向に沿って延在して形成されたもので、その横断面はかぎ穴状になっている。
【００３８】
また、前記他方の脚部２ａの外側を向く側面には、前記溝部１２を挟むようにして、粘着層１３,１３が上下に離間して形成されている。
この粘着層１３は、止水性と接着性を有するものであり、例えば、ブチルゴムで形成された接着テープを前記他方の脚部２ａの側面に貼り付けることで形成されたものである。
【００３９】
図６は、前記外壁用ガスケット１１を前記開口部５の開口縁部５ａに沿って設けた状態を示す斜視図であり、該外壁用ガスケット１１は、外壁材４,４の間に形成された目地溝６,６から前記開口縁部５ａに亙って配設されている。
前記目地溝６,６の底部には、外壁用ガスケット１１の両端側の目地部２,２が挿入されており、各目地部２の一方の脚部２ａに形成された襞部２ｂ,２ｂは、図６における左側の外壁材４の側端面に弾性的に接しており、また、他方の脚部２ａに形成された粘着層１３は、右側の外壁材４の側端面に当接して接着されている。これによって、目地溝６の止水が行われている。
【００４０】
また、前記外壁用ガスケット１１を前記目地溝６,６の底部に挿入した後に、該外壁用ガスケット１のガスケット部３は、前記開口縁部５ａの両端位置でカッター等によって切断されることで、中央部３ａとその両脇部３ｂ,３ｂの３つのピースに分断されている。
そして、前記ガスケット部３の両脇部３ｂ,３ｂは、上方から作業者によって押し付けられることで、目地溝６の深さ方向に圧潰されて、目地溝６の底部に配置される。
【００４１】
一方、前記ガスケット部３の中央部３ａは、圧潰されない状態で前記開口縁部５ａに沿って配設されている。
また、前記圧潰されたガスケット部３の両脇部３ｂ,３ｂ上には、化粧目地材７が、前記圧潰されていないガスケット部３の中央部とほぼ面一になるように設けられている。
【００４２】
このように、前記外壁用ガスケット１１の両端部の目地部２,２を目地溝６,６に挿入することで、外壁用ガスケット１１のガスケット部３を外壁材４に形成された開口部５の開口縁部５ａに容易かつ確実に設けることができる。
また、ガスケット部３の圧潰された両脇部２ｂ,２ｂ上に、化粧目地材７を、前記ガスケット部３の中央部３ａとほぼ面一になるように設けたので、該化粧目地材７とガスケット部３の中央部３ａとが段差なく連続することになり、よって、目地溝６とガスケット部３との接続部を秀麗に仕上げることができる。
【００４３】
また、前記外壁用ガスケット１１の、前記開口縁部５ａの端部に位置する側面には、ジョイナーピース１５が固定されている。
このジョイナーピース１５は、縦の長さが前記外壁用ガスケット１１の高さと等しく、横の長さが外壁用ガスケット１１の幅と等しい略長方形状をなすもので、図７(ａ)、(ｂ)に示すように、硬質樹脂で形成されたジョイナーピース本体１６と、このジョイナーピース本体１６の表面側に形成された粘着層１７とからなる２層構造となっている。
前記粘着層１７は、止水性と接着性を有するものであり、例えば、ブチルゴムで形成された接着テープを前記ジョイナーピース本体１６の表面に貼り付けることで形成されたものである。
【００４４】
また、前記ジョイナーピース本体１６の裏面側には、凸条(凸部)１８が形成されている。この凸条１８は前記外壁用ガスケット１１に形成された溝部１２に嵌合するもので、ジョイナーピース本体１６の幅方向に沿って延在するようにして形成されている。
さらに、前記ジョイナーピース本体１６の裏面側には、押圧凸部１９が形成されている。この押圧凸部１９はジョイナーピース１６を外壁用ガスケット１１の側面に固定した際に、該外壁用ガスケット１１の側面を押圧するものであり、ジョイナーピース本体１６の幅方向に延在するようにして形成されている。
【００４５】
そして、前記構成のジョイナーピース１５を外壁用ガスケット１１の側面に固定するには、ジョイナーピース本体１６の凸条１８を、外壁用ガスケット１１の溝部１２に嵌合するとともに、ジョイナーピース本体１６の裏面下部を外壁用ガスケット１１の粘着層１３,１３に当接して接着することで固定されている。このように、ジョイナーピース１５を外壁用ガスケット１１の側面に固定する際に、凸条１８と溝部１２との凹凸嵌合を用いることで、外壁用ガスケット１１に対するジョイナーピース１５の位置決めを容易に行うことができる。
なお、ジョイナーピース１５を外壁用ガスケット１１の側面に固定した際には、前記押圧凸部１９が外壁用ガスケット１１のガスケット部３の側面に当接している。
【００４６】
また、前記外壁用ガスケット１１が配設された前記開口縁部５ａと直交する他の開口縁部５ｂには、図５に示すように、第２外壁用ガスケット２１が配設されている。
この第２外壁用ガスケット２１は、前記外壁用ガスケット１１と同一構成のものであり、ガスケット部３と目地部２とで構成され、目地部２の側面には粘着層１３,１３が形成されている。
そして、前記第２外壁用ガスケット２１は、その端面を前記ジョイナーピース１５の粘着層１７の表面に当接して接着することで、該ジョイナーピース１５を介して前記外壁用ガスケット１１の側面に固定されている。
【００４７】
これによって、前記外壁材４に形成された開口部５の開口縁部５ａ,５ｂの直交部において、外壁用ガスケット１１と第２外壁用ガスケット２１とが接続され、その接続部においては前記粘着層１７、１３、凸条１８と溝部１２の凹凸嵌合によって止水性が十分に確保される。
なお、前記直交部における外壁用ガスケット１１と第２外壁用ガスケット２１との接続は、図８に示すように、開口部５の４つの隅部の全てで行う。
【００４８】
このように、前記開口部５の開口縁部５ｂに配設された第２外壁用ガスケット２１の端部が、開口縁部５ａに配設された外壁用ガスケット１１の端部側面にジョイナーピース１５を介して接続されているので、外壁材４に形成された開口部５の開口縁部５ａ,５ｂの直交部を秀麗に仕上げることができるとともに、該直交部の止水性を十分に確保することができる。
【００４９】
また、外壁用ガスケット１１の端部側面に、第２外壁用ガスケット２１をジョイナーピース１５を介して接続固定する際に、ジョイナーピース１５の押圧凸部１９によって、外壁用ガスケット１１のガスケット部３の側面が押圧されるので、この押圧された部分が窪んで押圧凸部１９に密着するとともに、押圧されていない部分が若干突出してガスケット部３に密着すし、これによって、ジョイナーピース１５とガスケット部３との間には隙間が生じないので、前記直交部の化粧性を保つことができる。
【００５０】
(第３実施形態例)
図９および図１０は、上記外壁用ガスケット１１と第２外壁用ガスケットとの直交部において、前記ジョイナーピース１５に代えて別のジョイナーピース２５を使用した例を示すものである。
前記ジョイナーピース２５は、縦の長さが前記外壁用ガスケット１１の高さと等しく、横の長さが外壁用ガスケット１１の幅と等しい略長方形状をなすもので、硬質樹脂で形成されたジョイナーピース本体２６と、このジョイナーピース本体２６の上部表面側に形成された突出部２７と、前記ジョイナーピース本体２６の下部表面側に形成された粘着層２８とを有している。
【００５１】
前記粘着層２８は、止水性と接着性を有するものであり、例えば、ブチルゴムで形成された接着テープを前記ジョイナーピース本体２６の表面下部に貼り付けることで形成されたものである。
また、前記突出部２８は、先端側の方ほど縮径する四角環状のもので、前記第２外壁用ガスケット２１のガスケット部３の端面開口の大きさとほぼ等しいか、若干小さく形成されている。
【００５２】
また、前記ジョイナーピース本体２６の裏面側には、凸条(凸部)１８が形成されている。この凸条１８は前記外壁用ガスケット１１に形成された溝部１２に嵌合するもので、ジョイナーピース本体２６の幅方向に沿って延在するようにして形成されている。
さらに、前記ジョイナーピース本体２６の裏面側には、押圧凸部１９が形成されている。この押圧凸部１９はジョイナーピース２６を外壁用ガスケット１１の側面に固定した際に、該外壁用ガスケット１１の側面を押圧するものであり、ジョイナーピース本体２６の幅方向に延在するようにして形成されている。
また、前記ジョイナーピース本体２６の下縁部には、係合片２９が形成されており、この係合片２９は前記外壁用ガスケット１１の下端部に係合するようになっている。
【００５３】
そして、前記構成のジョイナーピース２５を外壁用ガスケット１１の側面に固定するには、図１０に示すように、ジョイナーピース本体２６の凸条１８を、外壁用ガスケット１１の溝部１２に嵌合するとともに、ジョイナーピース本体２６の裏面下部を外壁用ガスケット１１の粘着層１３,１３に当接して接着することで固定されている。なお、前記ジョイナーピース２５の係合片２９は、外壁用ガスケット１１の下端部に係合されている。
このように、ジョイナーピース２５を外壁用ガスケット１１の側面に固定する際に、凸条１８と溝部１２との凹凸嵌合を用いることで、外壁用ガスケット１１に対するジョイナーピース２５の位置決めを容易に行うことができる。
【００５４】
また、前記第２外壁用ガスケット２１は、そのガスケット部３の端面開口を前記ジョイナーピース２５の突出部２７にはめ込んで固定するとともに、目地部２の端面をジョイナーピース２５の粘着層２８の表面に当接して接着することでジョイナーピース２５を介して前記外壁用ガスケット１１の側面に固定されている。
これによって、前記外壁材４に形成された開口部５の開口縁部５ａ,５ｂの直交部において、外壁用ガスケット１１と第２外壁用ガスケット２１とが接続され、その接続部においては前記粘着層２８、１３、凸条１８と溝部１２の凹凸嵌合によって止水性が十分に確保される。
【００５５】
また、第２外壁用ガスケット２１のガスケット部３の端面開口が、ジョイナーピース２５の突出部２７にはめ込まれるので、外壁用ガスケット１１に対する第２ガスケット２１の端部の位置決めが容易となる。
さらに、ジョイナーピース２５の押圧凸部１９によって、外壁用ガスケット１１のガスケット部３の側面が押圧されるので、この押圧された部分が窪んで押圧凸部１９に密着するとともに、押圧されていない部分が若干突出してガスケット部３に密着すし、これによって、ジョイナーピース２５とガスケット部３との間には隙間が生じないので、前記直交部の化粧性を保つことができる。
【００５６】
【発明の効果】
以上説明したように、本発明の請求項１の外壁用ガスケットによれば、目地溝から開口部の開口縁部に亙って設けられる目地部と、この目地部の上部に形成されたガスケット部とを備え、該ガスケット部を、少なくとも前記目地溝に配設された部分が該目地溝の深さ方向に圧潰可能に形成したので、前記目地部を目地溝の底部に密接した状態で挿入し、該目地溝に挿入された目地部の上部に形成されているガスケット部を目地溝の深さ方向に圧潰することで、該ガスケット部を目地部とともに目地溝の底部に配設することができ、前記開口縁部には、ガスケット部を圧潰しない状態で配設することができる。
【００５７】
したがって、ガスケット部を外壁材に形成された開口部の開口縁部に容易かつ確実に設けることができる。
また、前記圧潰されたガスケット部上に、化粧目地材を、前記圧潰されていないガスケット部とほぼ面一になるように設けることで、該化粧目地材とガスケット部とが段差なく連続することになり、よって、目地溝とガスケットとの接続部を秀麗に仕上げることができる。
【００５８】
請求項２の外壁用ガスケットによれば、請求項１と同様の効果を得ることができるのは勿論のこと、前記ガスケット部を中空状に形成し、その長手方向の所望の位置で切断可能に構成したので、ガスケット部を、前記開口縁部の両端位置で切断することで、中央部とその両脇部の３つのピースに分断することができる。したがって、中央部のガスケット部を、前記開口縁部の長さに容易に合わせることができる。
また、両脇部のガスケット部は、それが中空状であり、中央部のガスケット部と分断されているので、目地溝の深さ方向に容易に圧潰して、目地溝の底部に配設することができる。
【００５９】
請求項３の外壁用ガスケットの設置構造によれば、外壁材に形成された目地溝に外壁用ガスケットの目地部が挿入されるとともに、該目地部の上部に形成されているガスケット部が目地溝の深さ方向に圧潰され、さらに、前記目地溝の延長上に位置する開口縁部に沿って前記外壁用ガスケットが配設されるので、該開口縁部には、外壁用ガスケットの圧潰されていないガスケット部が配設されることになる。
【００６０】
したがって、ガスケット部を外壁材に形成された開口部の開口縁部に容易かつ確実に設けることができる。
また、前記圧潰されたガスケット部上に、化粧目地材を、前記圧潰されていないガスケット部とほぼ面一になるように設けることで、該化粧目地材とガスケット部とが段差なく連続することになり、よって、目地溝とガスケットとの接続部が秀麗に仕上げることができる。
【００６１】
請求項４の外壁用ガスケットの設置方法によれば、外壁用ガスケットの目地部を前記外壁材に形成された開口部の開口縁部の両端側に位置する目地溝の底部に密接した状態で挿入した後、ガスケット部を、前記開口縁部の両端位置で切断することで、中央部とその両脇部の３つのピースに分断することができる。
したがって、中央部のガスケット部を、前記開口縁部の長さに容易に合わせることができる。
また、両脇部のガスケット部は、それが中空状であり、中央部のガスケット部と分断されているので、目地溝の深さ方向に容易に圧潰して、目地溝の底部に配設することができる。
【００６２】
請求項５の外壁用ガスケットの設置構造によれば、請求項３と同様の効果を得ることができるのは勿論のこと、外壁用ガスケットが配設された前記開口縁部と直交する他の開口縁部に、第２外壁用ガスケットが配設され、この第２外壁用ガスケットの端部が、外壁用ガスケットの端部側面に固定されたジョイナーピースの粘着層に当接されるので、外壁材に形成された開口部の開口縁部の直交部を秀麗に仕上げることができるとともに、該直交部の止水性を十分に確保することができる。
【００６３】
請求項６の外壁用ガスケットの設置構造によれば、請求項３と同様の効果を得ることができるのは勿論のこと、外壁用ガスケットが配設された前記開口縁部と直交する他の開口縁部に、第２外壁用ガスケットが配設され、この第２外壁用ガスケットの端部の上部開口が、外壁用ガスケットの端部側面に固定されたジョイナーピースの突出部にはめ込まれるので、外壁用ガスケットに対する第２ガスケットの端部の位置決めが容易となり、また、第２外壁用ガスケットの端面の下面が前記粘着層に当接されるので、該直交部の止水性を十分に確保することができる。
【００６４】
請求項７の外壁用ガスケットの設置構造によれば、請求項５または６と同様の効果を得ることができるのは勿論のこと、外壁用ガスケットの端部側面に固定されたジョイナーピースと、該外壁用ガスケットとが、それらの一方に形成された凸部と、他方に形成された凹部との凹凸嵌合によって係合しているので、外壁用ガスケットに対するジョイナーピースの位置決めが容易であるとともに、前記第２外壁用ガスケットの端部が前記ジョイナーピースの粘着層に当接されているので、外壁材に形成された開口部の開口縁部の直交部の止水性をより確実なものとすることができる。
【００６５】
請求項８の外壁用ガスケットの設置構造によれば、請求項５〜７のいずれかと同様の効果を得ることができるのは勿論のこと、ジョイナーピースの押圧凸部によって外壁用ガスケットの側面が押圧されているので、この押圧された部分が窪んで押圧凸部に密着するとともに、押圧されていない部分が若干突出して外壁用ガスケットに密着し、これによって、ジョイナーピースと外壁用ガスケットとの間には隙間が生じないので、前記直交部の化粧性を保つことができる。
【図面の簡単な説明】
【図１】本発明の外壁用ガスケットの第１例を示すもので、外壁用ガスケットの斜視図である。
【図２】本発明の外壁用ガスケットの設置構造の第１例を示すもので、外壁用ガスケットを外壁材に設置した状態を示す正面図である。
【図３】同、外壁用ガスケットを外壁材に設置した状態を示す要部の斜視図である。
【図４】同、外壁用ガスケットの横断面図である。
【図５】本発明の外壁用ガスケットの第２例を示すもので、外壁用ガスケットの斜視図である。
【図６】本発明の外壁用ガスケットの設置構造の第２例を示すもので、外壁用ガスケットを外壁材に設置した状態を示す要部の斜視図である。
【図７】同、ジョイナーピースを示すもので、(ａ)はジョイナーピースの断面図、(ｂ)はジョイナーピースの正面図である。
【図８】同、外壁用ガスケットを外壁材に設置した状態を示す正面図である。
【図９】本発明の外壁用ガスケットの設置構造の第３例に使用するジョイナーピースを示すもので、(ａ)はジョイナーピースの斜視図、(ｂ)は側面図である。
【図１０】本発明の外壁用ガスケットの設置構造の第３例を示すもので、直交部を示す断面図である。
【符号の説明】
１,１１  外壁用ガスケット
２  目地部
３  ガスケット部
４  外壁材
５  開口部
５ａ,５ｂ  開口縁部
６  目地溝
７  化粧目地材
１５,２５  ジョイナーピース
１７,２８  粘着層
１２  溝部(凹部)
１８  凸条(凸部)
１９  押圧凸部
【図１】
0003930645.tif 000002
【図２】
0003930645.tif 000003
【図３】
0003930645.tif 000004
【図４】
0003930645.tif 000005
【図５】
0003930645.tif 000006
【図６】
0003930645.tif 000007
【図７】
0003930645.tif 000008
【図８】
0003930645.tif 000009
【図９】
0003930645.tif 000010
【図１０】
0003930645.tif 000011